(57)【要約】      （修正有）【課題】最大値の入力信号の出現頻度が低い状況でモデルの更新が行われた場合であっても、可能な限り高精度の歪補償を実現することが可能な歪補償回路を得る。【解決手段】ＤＰＤ処理部２は、高出力増幅器ＨＰＡへの入力信号とＨＰＡからの出力信号とに基づいて、ＨＰＡの入出力特性を表すモデルに対する逆モデルを推定する逆モデル推定部２２と、逆モデルに基づいて入力信号Ｓ１を補正することにより、入出力特性の歪補償を行う歪補償部２６と、カバー域の上限値が異なる複数の逆モデルが記憶された係数記憶部２４とを備え、ある入力信号Ｓ１の信号レベルがある逆モデルによってカバーされていない場合には、歪補償部２６は、係数記憶部２４に記憶されている複数の逆モデルのうち、当該信号レベルをカバーする他の逆モデルに基づいてその入力信号Ｓ１を補正する。【選択図】図２
2010157937.tif 000002
【特許請求の範囲】
【請求項１】
増幅器への入力信号と前記増幅器からの出力信号とに基づいて、前記増幅器の入出力特性を表すモデルに対する逆モデルを推定する推定部と、
前記逆モデルに基づいて前記入力信号を補正することにより、前記入出力特性の歪補償を行う歪補償部と、
カバー域の上限値が異なる複数の前記逆モデルが記憶された記憶部と
を備え、
ある入力信号の信号レベルがある逆モデルによってカバーされていない場合には、前記歪補償部は、前記記憶部に記憶されている複数の前記逆モデルのうち、当該信号レベルをカバーする他の逆モデルに基づいて当該入力信号を補正する、歪補償回路。
【請求項２】
前記記憶部に記憶されている複数の前記逆モデルから一の逆モデルを選択する選択部をさらに備え、
ある入力信号の信号レベルをカバーする逆モデルとして二以上の逆モデルが前記記憶部内に存在する場合には、前記選択部は、当該二以上の逆モデルの中から最新の逆モデルを選択し、前記歪補償部は、当該最新の逆モデルに基づいて当該入力信号を補正する、請求項１に記載の歪補償回路。
【請求項３】
前記推定部は、各前記逆モデルについてのカバー域の上限値に関する情報を前記選択部に入力し、
前記選択部は、入力された当該情報に基づいて前記最新の逆モデルの選択を行う、請求項２に記載の歪補償回路。
【請求項４】
前記入力信号がとり得る信号レベルの全領域を複数の部分領域に分割するための複数の境界値が設定されており、
前記歪補償部は、前記複数の境界値のうち各前記逆モデルがカバーする最大の境界値に関する情報に基づいて、各前記部分領域単位で前記最新の逆モデルの選択を行う、請求項２に記載の歪補償回路。
【請求項５】
前記記憶部に新たな逆モデルが記憶された場合、前記記憶部にすでに記憶されている複数の前記逆モデルのうち、カバー域の上限値が当該新たな逆モデルのそれよりも小さい逆モデルは、前記記憶部から削除される、請求項２〜４のいずれか一つに記載の歪補償回路。
【請求項６】
増幅器と、
請求項１〜５のいずれか一つに記載の歪補償回路と
を備える、無線基地局。
【発明の詳細な説明】
【技術分野】
【０００１】
本発明は、歪補償回路及びそれを備えた無線基地局に関する。
【背景技術】
【０００２】
携帯電話等を用いた通信システムが備える無線基地局においては、送信信号を増幅して出力するための高出力増幅器（ＨＰＡ：High Power Amplifier）が、送信処理部内に実装される。一般的にＨＰＡは、増幅効率を優先するが故に、入出力特性の線形性が低い。つまりＨＰＡにおいては、その入力信号と出力信号との間の入出力特性が、非線形の歪特性を呈する。従って、このような入出力特性を有するＨＰＡを用いて入力信号を増幅すると、その歪に起因して、所望の出力信号が得られない場合がある。そこで、このような歪を補償するための歪補償方式の一つとして、増幅器の入出力特性を表すモデルを推定し、そのモデルとは逆の特性を呈する逆モデルをディジタル信号処理によって生成し、増幅器への入力信号（アナログ信号に変換する前のディジタル信号）に対してその逆モデルを付加することにより、増幅器の入出力特性における歪を補償する手法（いわゆるＤＰＤ：Digital Pre-Distortion）が、下記非特許文献１において提案されている。また、下記非特許文献２，３においては、ＨＰＡの高効率増幅技術が提案されている。
【０００３】
【非特許文献１】Lei Ding, "Digital predistortion of Power Amplifiers for Wireless Applications", Georgia Institute of Technology, March 2004.
【非特許文献２】Donald F. Kimball, et al., "High-Efficiency Envelope-Tracking W-CDMA Base-Station Amplifier Using GaN HFETs", IEEE Transactions on Microwave Theory and Techniques, Vol.54, NO.11, November 2006.
【非特許文献３】Feipeng Wang, et al., "Design of Wide-Bandwidth Envelope-Tracking Power Amplifiers for OFDM Applications", IEEE Transactions on Microwave Theory and Techniques, Vol.53, NO.4, April 2005.
【発明の開示】
【発明が解決しようとする課題】
【０００４】
ＨＰＡの入出力特性は温度変化等によって変動するため、高精度の歪補償を実現するためには、逆モデルを常に最新のものに更新する必要がある。ここで、入力信号の全範囲をカバーする逆モデルを正確に作成するためには、最大値（ピーク値）を含む入力信号及びそれに対応する出力信号が必要となる。しかし、最大値の入力信号が常に通信信号に含まれているとは限らず、通信データ量が少ない状況（深夜の時間帯等）においては、最大値の入力信号の出現頻度は低下する。そのため、このような状況においてモデルの更新が行われた場合には、更新後のモデルが入力信号の全範囲をカバーできていない状況も生じ得る。従って、更新後のモデルによってカバーされていない範囲の入力信号がその後に入力された場合には、その入力信号に関しては高精度の歪補償を行うことができない。
【０００５】
本発明はかかる事情に鑑みて成されたものであり、最大値の入力信号の出現頻度が低い状況でモデルの更新が行われた場合であっても、可能な限り高精度の歪補償を実現することが可能な歪補償回路、及びそれを備えた無線基地局を得ることを目的とするものである。
【課題を解決するための手段】
【０００６】
本発明の第１の態様に係る歪補償回路は、増幅器への入力信号と前記増幅器からの出力信号とに基づいて、前記増幅器の入出力特性を表すモデルに対する逆モデルを推定する推定部と、前記逆モデルに基づいて前記入力信号を補正することにより、前記入出力特性の歪補償を行う歪補償部と、カバー域の上限値が異なる複数の前記逆モデルが記憶された記憶部とを備え、ある入力信号の信号レベルがある逆モデルによってカバーされていない場合には、前記歪補償部は、前記記憶部に記憶されている複数の前記逆モデルのうち、当該信号レベルをカバーする他の逆モデルに基づいて当該入力信号を補正することを特徴とするものである。
【０００７】
第１の態様に係る歪補償回路によれば、最大値の入力信号の出現頻度が低い状況でモデルの更新が行われたことに起因して、ある入力信号の信号レベルが最新の逆モデルによってカバーされていない場合であっても、歪補償部は、記憶部に記憶されている複数の逆モデルのうち、その信号レベルをカバーする他の逆モデルに基づいてその入力信号を補正する。従って、最大値の入力信号の出現頻度が低い状況で逆モデルの更新が行われた場合であっても、可能な限り高精度の歪補償を実現することが可能となる。
【０００８】
本発明の第２の態様に係る歪補償回路は、第１の態様に係る歪補償回路において特に、前記記憶部に記憶されている複数の前記逆モデルから一の逆モデルを選択する選択部をさらに備え、ある入力信号の信号レベルをカバーする逆モデルとして二以上の逆モデルが前記記憶部内に存在する場合には、前記選択部は、当該二以上の逆モデルの中から最新の逆モデルを選択し、前記歪補償部は、当該最新の逆モデルに基づいて当該入力信号を補正することを特徴とするものである。
【０００９】
第２の態様に係る歪補償回路によれば、ある入力信号の信号レベルをカバーする逆モデルとして二以上の逆モデルが記憶部内に存在する場合には、歪補償部は、それらの逆モデルのうち最新の逆モデルに基づいてその入力信号を補正する。従って、高精度の歪補償を実現することが可能となる。
【００１０】
本発明の第３の態様に係る歪補償回路は、第２の態様に係る歪補償回路において特に、前記推定部は、各前記逆モデルについてのカバー域の上限値に関する情報を前記選択部に入力し、前記選択部は、入力された当該情報に基づいて前記最新の逆モデルの選択を行うことを特徴とするものである。
【００１１】
第３の態様に係る歪補償回路によれば、最新の逆モデルをそのカバー域の上限値まで利用することができるため、高精度の歪補償を実現することが可能となる。
【００１２】
本発明の第４の態様に係る歪補償回路は、第２の態様に係る歪補償回路において特に、前記入力信号がとり得る信号レベルの全領域を複数の部分領域に分割するための複数の境界値が設定されており、前記歪補償部は、前記複数の境界値のうち各前記逆モデルがカバーする最大の境界値に関する情報に基づいて、各前記部分領域単位で前記最新の逆モデルの選択を行うことを特徴とするものである。
【００１３】
第４の態様に係る歪補償回路によれば、各モデルについてのカバー域の上限値に関する情報を推定部に入力する必要がないため、推定部への送信データ量を削減することが可能となる。
【００１４】
本発明の第５の態様に係る歪補償回路は、第２〜第４のいずれか一つの態様に係る歪補償回路において特に、前記記憶部に新たな逆モデルが記憶された場合、前記記憶部にすでに記憶されている複数の前記逆モデルのうち、カバー域の上限値が当該新たな逆モデルのそれよりも小さい逆モデルは、前記記憶部から削除されることを特徴とするものである。
【００１５】
第５の態様に係る歪補償回路によれば、新たな逆モデルの出現によって利用価値がなくなった古い逆モデルを記憶部から削除することにより、記憶部の記憶容量が膨大となることを回避することができる。
【００１６】
本発明の第６の態様に係る無線基地局は、増幅器と、第１〜第５のいずれか一つの態様に係る歪補償回路とを備えることを特徴とするものである。
【００１７】
第６の態様に係る無線基地局によれば、増幅器の入出力特性の歪が歪補償回路によって適切に補償されることにより、所望の送信信号を無線基地局から送信することが可能となる。
【発明の効果】
【００１８】
本発明によれば、最大値の入力信号の出現頻度が低い状況でモデルの更新が実施された場合であっても、可能な限り高精度の歪補償を実現することが可能となる。
【発明を実施するための最良の形態】
【００１９】
以下、本発明の実施の形態について、図面を用いて詳細に説明する。なお、異なる図面において同一の符号を付した要素は、同一又は相応する要素を示すものとする。
【００２０】
図１は、本発明の実施の形態に係る無線基地局１の構成の一部を示すブロック図である。図１の接続関係で示すように、無線基地局１は、ＤＰＤ（Digital Pre-Distortion）処理部２、ＤＡＣ（Digital-to-Analog Converter）３、ＬＰＦ（Low Pass Filter）４、周波数変換部５、ＨＰＡ（High Power Amplifier）６、カプラ７、アンテナ８、周波数変換部９、ＬＰＦ１０、及びＡＤＣ（Analog-to-Digital Converter）１１を備えて構成されている。
【００２１】
ＤＰＤ処理部２は、ディジタル信号である入力信号Ｓ１を補正することにより、信号Ｓ２を出力する。ＤＰＤ処理部２による補正の内容については後述する。ＤＡＣ３は、ディジタル信号である信号Ｓ２をアナログ信号である信号Ｓ３に変換して出力する。ＬＰＦ４は、信号Ｓ３に対してローパスフィルタ処理を施して、信号Ｓ４を出力する。周波数変換部５は、ベースバンドの信号Ｓ４を高周波の信号Ｓ５に周波数変換して出力する。ＨＰＡ６は、信号Ｓ５を増幅することにより、信号Ｓ６を出力する。信号Ｓ６は、アンテナ８から送信される。
【００２２】
ＨＰＡ６からアンテナ８に向かう信号Ｓ６の一部は、カプラ７によって信号Ｓ７として取り出される。周波数変換部９は、高周波の信号Ｓ７をベースバンドの信号Ｓ８に周波数変換して出力する。ＬＰＦ１０は、信号Ｓ８に対してローパスフィルタ処理を施して、信号Ｓ９を出力する。ＡＤＣ１１は、アナログ信号である信号Ｓ９をディジタル信号である信号Ｓ１０に変換して出力する。信号Ｓ１０はＤＰＤ処理部２に入力される。
【００２３】
図２は、ＤＰＤ処理部２の第１の構成例を示すブロック図である。図２の接続関係で示すように、ＤＰＤ処理部２は、サンプリング回路２０、検出部２１、逆モデル推定部２２、上限値記憶部２３、係数記憶部２４、判定部２５、及び歪補償部２６を備えて構成されている。
【００２４】
サンプリング回路２０には、歪補償部２６から信号Ｓ２が入力されるとともに、ＡＤＣ１１から信号Ｓ１０が入力される。サンプリング回路２０は、直近の所定時間（以下「サンプリング時間」と称す）内における信号Ｓ２，Ｓ１０をサンプリングして、これらの信号Ｓ２，Ｓ１０を逆モデル推定部２２に入力する。逆モデル推定部２２は、信号Ｓ２，Ｓ１０に基づいて、ＨＰＡ６の入出力特性を表すモデルを推定し、そのモデルに対応する逆モデルをｎ次べき級数（ｎは自然数）の多項式の形で表現するための各次の係数（つまり逆モデルの係数セット）を、演算によって求める。ここで、逆モデルとは、モデルにおける非線形の歪を補償するための、モデルの歪特性とは逆の特性を呈するモデルである。
【００２５】
また、検出部２１は、サンプリング時間内における入力信号Ｓ１のレベルの最大値（例えば最大電力値）を検出し、その最大電力値に関するデータＳ２１をサンプリング回路２０に入力する。データＳ２１は、サンプリング回路２０から逆モデル推定部２２に入力され、上記で求めた逆モデルの係数セットと対応付けられる。データＳ２１で与えられる最大電力値は、対応する逆モデルがカバーするカバー域の上限値を表すこととなる。
【００２６】
逆モデルの係数セットに関するデータＳ２２は、逆モデル推定部２２から係数記憶部２４に入力され、係数記憶部２４内に記憶される。換言すれば、係数記憶部２４内に逆モデルが記憶される。また、その逆モデルに対応する最大電力値に関するデータＳ２１は、逆モデル推定部２２から上限値記憶部２３に入力され、上限値記憶部２３内に記憶される。
【００２７】
歪補償部２６には、入力信号Ｓ１が入力されるとともに、係数記憶部２４から係数セットに関するデータＳ２４が入力される。歪補償部２６は、データＳ２４で与えられる係数セット（逆モデル）に基づいて入力信号Ｓ１を補正する。これにより、入力信号Ｓ１に対して適切な歪補償がなされた信号Ｓ２が、歪補償部２６から出力される。
【００２８】
ところで、ＨＰＡ６の入出力特性は温度変化等によって変動するため、歪補償部２６によって高精度の歪補償を実現するためには、逆モデル推定部２２においてモデル及び逆モデルを定期的に最新のものに更新する必要がある。
【００２９】
図３は、順に更新された複数のモデルＫ０〜Ｋ２の一例を示す図である。横軸は入力信号Ｓ１の信号レベル（例えば電力値）であり、縦軸は出力信号（信号Ｓ１０）の信号レベル（例えば電力値）である。モデルＫ０は、通信データ量が多い状況で逆モデル推定部２２によって推定されたモデルであり、モデルＫ０のカバー域の上限値Ｐｍ０は、入力信号Ｓ１の信号レベルがとり得る最大値（ピーク値）に一致している。従って、モデルＫ０を用いることにより、逆モデル推定部２２は、入力信号Ｓ１の全範囲をカバーする逆モデルを作成することができる。上限値Ｐｍ０を示すデータＳ２１は、モデルＫ０の逆モデルに対応付けられて、上限値記憶部２３内に記憶される。
【００３０】
モデルＫ０から更新されたモデルＫ１は、通信データ量がやや少ない状況で逆モデル推定部２２によって推定されたモデルであり、モデルＫ１のカバー域の上限値Ｐｍ１は、モデルＫ０の上限値Ｐｍ０よりも小さくなっている。従って、モデルＫ１に基づいて作成された逆モデルを用いることによっては、歪補償部２６は、上限値Ｐｍ１を超える信号レベルの入力信号Ｓ１に対する歪補償を行うことができない。しかしながら、上限値Ｐｍ１以下の範囲に関しては、モデルＫ０よりも新しい入出力特性をモデルＫ１によって表現できるため、高精度の歪補償を実現することができる。上限値Ｐｍ１を示すデータＳ２１は、モデルＫ１の逆モデルに対応付けられて、上限値記憶部２３内に記憶される。
【００３１】
モデルＫ１から更新されたモデルＫ２は、通信データ量がさらに少ない状況で逆モデル推定部２２によって推定されたモデルであり、モデルＫ２のカバー域の上限値Ｐｍ２は、モデルＫ１の上限値Ｐｍ１よりも小さくなっている。従って、モデルＫ２に基づいて作成された逆モデルを用いることによっては、歪補償部２６は、上限値Ｐｍ２を超える信号レベルの入力信号Ｓ１に対する歪補償を行うことができない。しかしながら、上限値Ｐｍ２以下の範囲に関しては、モデルＫ０，Ｋ１よりも新しい入出力特性をモデルＫ２によって表現できるため、高精度の歪補償を実現することができる。上限値Ｐｍ２を示すデータＳ２１は、モデルＫ２の逆モデルに対応付けられて、上限値記憶部２３内に記憶される。
【００３２】
本実施の形態に係るＤＰＤ処理部２においては、各モデルＫ０〜Ｋ２に対応する全ての逆モデルの係数セットが、係数記憶部２４内に記憶される。歪補償部２６は、モデルＫ０〜Ｋ２に対応する３個の逆モデルの中から最適な逆モデルを選択することによって、入力信号Ｓ１に対する歪補償を行う。具体的には以下の通りである。
【００３３】
図４は、歪補償部２６による逆モデルの選択を説明するための図である。入力信号Ｓ１は、歪補償部２６に入力されるとともに、判定部２５に入力される。また、判定部２５には、各逆モデルのカバー域の上限値に関するデータＳ２１が、上限値記憶部２３から入力される。入力信号Ｓ１の信号レベルが上限値Ｐｍ２以下である場合には、判定部２５は、モデルＫ２に対応する逆モデルを選択する。つまり、入力信号Ｓ１の信号レベルが上限値Ｐｍ２以下である場合には、その信号レベルをカバーする逆モデルとしては、モデルＫ０〜Ｋ２に対応する３個の逆モデルが存在する。この場合には、判定部２５は、これら３個の逆モデルの中から最新の逆モデル（モデルＫ２に対応する逆モデル）を選択する。逆モデルの選択に関するデータＳ２３は、判定部２５から係数記憶部２４に入力される。そして、選択された逆モデルの係数セットに関するデータＳ２４が、係数記憶部２４から歪補償部２６に入力される。歪補償部２６は、データＳ２４で与えられる係数セットの逆モデルに基づいて、入力信号Ｓ１を補正する。
【００３４】
同様に、入力信号Ｓ１の信号レベルが上限値Ｐｍ２超かつ上限値Ｐｍ１以下である場合には、判定部２５は、モデルＫ１に対応する逆モデルを選択する。つまり、入力信号Ｓ１の信号レベルが上限値Ｐｍ２超かつ上限値Ｐｍ１以下である場合には、その信号レベルをカバーする逆モデルとしては、モデルＫ０，Ｋ１に対応する２個の逆モデルが存在する。この場合には、判定部２５は、これら２個の逆モデルのうち最新の逆モデル（モデルＫ１に対応する逆モデル）を選択し、歪補償部２６は、その選択された逆モデルに基づいて入力信号Ｓ１を補正する。
【００３５】
また、入力信号Ｓ１の信号レベルが上限値Ｐｍ１超である場合には、その信号レベルをカバーする逆モデルとしては、モデルＫ０に対応する逆モデルしか存在しない。この場合には、判定部２５は、モデルＫ０に対応する逆モデルを選択し、歪補償部２６は、その選択された逆モデルに基づいて入力信号Ｓ１を補正する。
【００３６】
なお、以上では、上限値が徐々に小さくなる順（モデルＫ０→Ｋ１→Ｋ２の順）にモデルが更新される例について説明した。これとは異なり、例えばモデルＫ１→Ｋ０→Ｋ２の順にモデルが更新された場合には、モデルＫ０に対応する逆モデルが係数記憶部２４に記憶された時点で、モデルＫ１に対応する逆モデルを係数記憶部２４から削除しても良い。この場合、判定部２５は、入力信号Ｓ１の信号レベルが上限値Ｐｍ２以下である場合にはモデルＫ２に対応する逆モデルを選択し、入力信号Ｓ１の信号レベルが上限値Ｐｍ２超である場合にはモデルＫ０に対応する逆モデルを選択することとなる。
【００３７】
図５は、ＤＰＤ処理部２の第２の構成例を示すブロック図である。図２に示した構成に対して比較部３０が追加されており、その他の構成は図２と同様である。
【００３８】
図６は、図３に対応して複数のモデルＫ０〜Ｋ３の一例を示す図である。入力信号Ｓ１の信号レベルに関して所定のしきい値Ｈが設定されている。しきい値Ｈは、例えば、入力信号Ｓ１がとり得る最大値（ピーク値）の半分の値に設定されている。但し、しきい値Ｈはその他の値に設定されていても良い。しきい値Ｈの設定値は、比較部３０に予め教示されている。
【００３９】
逆モデル推定部２２が逆モデルの推定を行うにあたって、比較部３０は、サンプリング回路２０によってサンプリングされた範囲内における入力信号Ｓ１の最大値（つまりデータＳ２１で与えられる上限値）と、しきい値Ｈとを比較する。そして、その比較の結果をデータＳ３０として逆モデル推定部２２に入力する。逆モデル推定部２２は、データＳ３０に基づいて、サンプリング範囲内の入力信号Ｓ１の最大値がしきい値Ｈ以上である場合には、逆モデルの更新を行う。一方、サンプリング範囲内の入力信号Ｓ１の最大値がしきい値Ｈ未満である場合には、逆モデルの更新を行わない。図６に示した例では、モデルＫ０→Ｋ１→Ｋ２に対応する逆モデルの更新は行われるが、モデルＫ３のカバー域の上限値（つまりモデルＫ３の推定を行うにあたってのサンプリング範囲内の入力信号Ｓ１の最大値）Ｐｍ３はしきい値Ｈ未満であるため、モデルＫ２に対応する逆モデルからモデルＫ３に対応する逆モデルへの更新は行われない。
【００４０】
図７は、図３に対応して複数のモデルＫ０〜Ｋ２の他の例を示す図である。入力信号Ｓ１の信号レベルに関して複数のしきい値Ｈ０，Ｈ１が設定されている。しきい値Ｈ１は、例えば、入力信号Ｓ１がとり得る最大値（ピーク値）の半分の値に設定されている。また、しきい値Ｈ０は、例えば、ピーク値としきい値Ｈ１との中間値に設定されている。但し、しきい値Ｈ０，Ｈ１はその他の値に設定されていても良い。また、しきい値の個数は２個に限らず、３個以上（例えば４個）であっても良い。しきい値Ｈ０，Ｈ１の各設定値は、比較部３０に予め教示されている。
【００４１】
逆モデル推定部２２が逆モデルの推定を行うにあたって、比較部３０は、サンプリング範囲内の入力信号Ｓ１の最大値と、しきい値Ｈ０，Ｈ１とを比較する。そして、その比較の結果をデータＳ３０として逆モデル推定部２２に入力する。
【００４２】
逆モデル推定部２２は、ピーク値を含むモデルＫ０に対応する逆モデルを、それよりもカバー域の上限値が小さい逆モデルに更新する際には、更新後の逆モデルの上限値がしきい値Ｈ０以上であることを条件として更新を行う。つまり、データＳ３０に基づいて、更新後の逆モデルの上限値がしきい値Ｈ０以上である場合には更新を行い、しきい値Ｈ０未満である場合には更新を行わない。図７に示した例ではモデルＫ１の上限値Ｐｍ１はしきい値Ｈ０以上であるため、モデルＫ０に対応する逆モデルからモデルＫ１に対応する逆モデルへの更新は行われる。但し、モデルＫ２の上限値Ｐｍ２はしきい値Ｈ０未満であるため、モデルＫ０に対応する逆モデルからモデルＫ２に対応する逆モデルへの直接的な更新は行われない。なお、図７に示した例では、上限値Ｐｍ０を示すデータＳ２１の代わりに、信号Ｓ２，Ｓ１０がピーク値をカバーしている旨に関するフラグ情報が、その信号Ｓ２，Ｓ１０に対応付けられてサンプリング回路２０から逆モデル推定部２２に入力される。同様に、図７に示した例では、上限値Ｐｍ１を示すデータＳ２１の代わりに、信号Ｓ２，Ｓ１０がしきい値Ｈ０をカバーしている旨に関するフラグ情報が、その信号Ｓ２，Ｓ１０に対応付けられてサンプリング回路２０から逆モデル推定部２２に入力される。
【００４３】
また、逆モデル推定部２２は、上限値がしきい値Ｈ０以上であるモデルＫ１に対応する逆モデルを、それよりもカバー域の上限値が小さい逆モデルに更新する際には、更新後の逆モデルの上限値がしきい値Ｈ１以上であることを条件として更新を行う。つまり、データＳ３０に基づいて、更新後の逆モデルの上限値がしきい値Ｈ１以上である場合には更新を行い、しきい値Ｈ１未満である場合には更新を行わない。図７に示した例ではモデルＫ２の上限値Ｐｍ２はしきい値Ｈ１以上であるため、モデルＫ１に対応する逆モデルからモデルＫ２に対応する逆モデルへの更新は行われる。なお、上記と同様に、図７に示した例では、上限値Ｐｍ２を示すデータＳ２１の代わりに、信号Ｓ２，Ｓ１０がしきい値Ｈ１をカバーしている旨に関するフラグ情報が、その信号Ｓ２，Ｓ１０に対応付けられてサンプリング回路２０から逆モデル推定部２２に入力される。
【００４４】
図８は、図７に対応して歪補償部２６による逆モデルの選択を説明するための図である。入力信号Ｓ１の信号レベルがしきい値Ｈ１以下である場合には、歪補償部２６は、この範囲の最新のモデルＫ２のうち、しきい値Ｈ１以下の部分に対応する逆モデルに基づいて、入力信号Ｓ１を補正する。また、入力信号Ｓ１の信号レベルがしきい値Ｈ１超かつしきい値Ｈ０以下である場合には、歪補償部２６は、この範囲の最新のモデルＫ１のうち、しきい値Ｈ１超かつしきい値Ｈ０以下の部分に対応する逆モデルに基づいて、入力信号Ｓ１を補正する。また、入力信号Ｓ１の信号レベルがしきい値Ｈ０超である場合には、歪補償部２６は、この範囲の最新のモデルＫ０のうち、しきい値Ｈ０超の部分に対応する逆モデルに基づいて、入力信号Ｓ１を補正する。
【００４５】
図９は、ＤＰＤ処理部２の第３の構成例を示すブロック図である。図２に示した構成に対して設定部４０が追加されており、その他の構成は図２と同様である。
【００４６】
設定部４０は、サンプリング回路２０がサンプリングを開始する直前の所定期間内において、その所定期間内における入力信号Ｓ１の信号レベル（例えば電力値）の平均値を求める。そして、その平均値から所定レベル（例えば１０〜１１ｄＢｍ）だけ高い値を、入力信号Ｓ１の予測最大値として設定する。なお、予測最大値の上限は、入力信号Ｓ１がとり得る最大値（ピーク値）とする。予測最大値に関するデータＳ４０は、設定部４０から検出部２１に入力される。
【００４７】
サンプリング回路２０がサンプリングを開始すると、検出部２１は、サンプリングされる入力信号Ｓ１の信号レベルを逐次監視する。そして、検出部２１は、データＳ４０で与えられる予測最大値以上の入力信号Ｓ１を検出すると、その旨を示すデータＳ４１をサンプリング回路２０に入力する。データＳ４１を受けたサンプリング回路２０は、その時点でサンプリングを終了する。一方、データＳ４０で与えられる予測最大値以上の入力信号Ｓ１を検出部２１が検出しなかった場合には、サンプリング開始から所定時間の経過後に、サンプリング回路２０はサンプリングを終了する。
【００４８】
このように本実施の形態に係るＤＰＤ処理部２（歪補償回路）によれば、逆モデル推定部２２は、入力信号Ｓ１がとり得る最大値（ピーク値）が、サンプリング回路２０によってサンプリングされた範囲内における入力信号Ｓ１に含まれているか否かに拘わらず、サンプリング回路２０から入力された信号Ｓ２，Ｓ１０に基づいて逆モデルを更新する。従って、最大値（ピーク値）の入力信号Ｓ１の出現頻度が低い状況においても逆モデル推定部２２はモデルを更新することができ、それに応じて逆モデルも更新されるため、歪補償部２６において高精度の歪補償を実現することが可能となる。
【００４９】
また、図５，６に示したＤＰＤ処理部２によれば、逆モデル推定部２２は、サンプリング回路２０によってサンプリングされた範囲内における入力信号Ｓ１の最大値が、所定のしきい値Ｈ以上であることを条件として、逆モデルを更新する。従って、サンプリングされた範囲内の入力信号Ｓ１の信号レベルがしきい値Ｈ未満である場合には、逆モデルの更新は行われない。その結果、逆モデルがカバーする入力信号Ｓ１の範囲が極端に小さくなることを回避できる。
【００５０】
また、図７に示したＤＰＤ処理部２によれば、現在の逆モデルにおける入力信号Ｓ１の上限値に応じて、複数のしきい値Ｈ０，Ｈ１が設定されている。従って、逆モデルがカバーする入力信号Ｓ１の範囲が急激に小さくなることを回避できる。例えば、モデルＫ０に対応する逆モデルが、モデルＫ２に対応する逆モデルに直接的に更新されることを回避できる。
【００５１】
また、図９に示したＤＰＤ処理部２によれば、設定部４０は、入力信号Ｓ１の予測最大値を設定し、サンプリング回路２０によるサンプリングが開始された後、予測最大値以上の入力信号Ｓ１が検出されると、サンプリング回路２０はサンプリングを終了する。従って、サンプリング期間の短縮化を図ることができるとともに、予測最大値の入力信号Ｓ１を確実に取得できるため、予測最大値以下の範囲をカバーする逆モデルを確実に作成することが可能となる。
【００５２】
また、本実施の形態に係る無線基地局１によれば、ＨＰＡ６の入出力特性の歪がＤＰＤ処理部２によって適切に補償されることにより、所望の送信信号を無線基地局１から送信することが可能となる。
【００５３】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【図面の簡単な説明】
【００５４】
【図１】本発明の実施の形態に係る無線基地局の構成の一部を示すブロック図である。
【図２】ＤＰＤ処理部の第１の構成例を示すブロック図である。
【図３】順に更新された複数のモデルの一例を示す図である。
【図４】歪補償部による逆モデルの選択を説明するための図である。
【図５】ＤＰＤ処理部の第２の構成例を示すブロック図である。
【図６】図３に対応して複数のモデルの一例を示す図である。
【図７】図３に対応して複数のモデルの他の例を示す図である。
【図８】図７に対応して歪補償部による逆モデルの選択を説明するための図である。
【図９】ＤＰＤ処理部の第３の構成例を示すブロック図である。
【符号の説明】
【００５５】
１  無線基地局
２  ＤＰＤ処理部
６  ＨＰＡ
２０  サンプリング回路
２１  検出部
２２  逆モデル推定部
２３  上限値記憶部
２４  係数記憶部
２５  判定部
２６  歪補償部
３０  比較部
４０  設定部
Ｈ，Ｈ０，Ｈ１  しきい値
Ｋ０〜Ｋ２  モデル
Ｐｍ０〜Ｐｍ２  上限値
【図１】
2010157937.tif 000003
【図２】
2010157937.tif 000004
【図３】
2010157937.tif 000005
【図４】
2010157937.tif 000006
【図５】
2010157937.tif 000007
【図６】
2010157937.tif 000008
【図７】
2010157937.tif 000009
【図８】
2010157937.tif 000010
【図９】
2010157937.tif 000011